(57)【特許請求の範囲】
【請求項１】
鍵盤両側に立設する一対の腕木上部に設置される天屋根を備えた電子ピアノの天屋根構造であって、
前記天屋根の前縁部に沿って、金属板を折り曲げ成形してなる補強部材を取付固定し、該補強部材は前記天屋根の下側に突出する概略矩形状断面を有し、前記天屋根の剛性を強化したことを特徴とする電子ピアノの天屋根構造。
【請求項２】
前記補強部材の端部に目隠し部材が付設されることを特徴とする請求項１に記載の電子ピアノの天屋根構造。
【請求項３】
鍵盤上部で進退するようにスライド自在に支持された鍵盤蓋を備え、この鍵盤蓋が前記天屋根の下側に格納されることを特徴とする請求項１または２に記載の電子ピアノの天屋根構造。
【発明の詳細な説明】
【０００１】
【発明の属する技術分野】
本発明は、鍵盤上部で進退するようにスライド自在に支持された鍵盤蓋を備えた電子ピアノにおいて、特に鍵盤両側の腕木上部に設置される天屋根の構造に関する。
【０００２】
【従来の技術】
この種の電子ピアノにおいて、鍵盤を覆う鍵盤蓋を有し、かつ天屋根が腕木の上部に設置されるものにあっては、たとえば図５（Ａ）または（Ｂ）に示すように前部付近に補強を兼ねた前板６ａを取り付けることで天屋根６の剛性を確保するようにしている。
【０００３】
ここで先ず、従来の天屋根構造を備えた電子ピアノの構成例を説明する。
すなわち、図６において左右（紙面垂直方向）に配列された鍵盤１は、鍵盤蓋２によって覆われる。鍵盤１の両端に位置する一対の腕木３の内側には、この例では前後に延設された、図示しないスライドガイドが固着されている。鍵盤蓋２は、このスライドガイドにガイドされながら、鍵盤１の上部で進退するようにスライドすることができる。鍵盤１を含む鍵盤ユニットは棚板４上に支持され、棚板４からは下方へ脚５が出ている。また上部の天屋根６には譜面台７等が設けられるとともに、ピアノ本体内の所定部位に楽音発生用のスピーカ８等が配置される。
【０００４】
鍵盤蓋２を図６において実線で示すように手前に引き出すことで鍵盤１に蓋がされる。また、２点鎖線で示すように鍵盤蓋２を奥（後方）へ押し込むことにより鍵盤１が露呈するとともに、天屋根６の下側に格納される。
【０００５】
さて、前述したように天屋根６には、その剛性を確保するために前部付近に前板６ａが取り付けられる（図５（Ａ），（Ｂ））。あるいはまた、これらの前板６ａを取り付けない場合には天屋根自体の厚さを厚くして、その剛性を持たせるようにしていた。
【０００６】
【発明が解決しようとする課題】
しかしながら、従来の電子ピアノにおいて、上述の図５で示した例のように前板６ａを設けるものでは剛性確保はできるものの、前板６ａがあるためにピアノ本体の高さが高くならざるを得ない等の問題があった。
【０００７】
本発明はかかる実情に鑑み、剛性確保を図りながら、有効に高さを低くすることができる電子ピアノの天屋根構造を提供することを目的とする。
【０００８】
【課題を解決するための手段】
本発明の電子ピアノの天屋根構造は、鍵盤両側に立設する一対の腕木上部に設置される天屋根を備えた電子ピアノの天屋根構造であって、前記天屋根の前縁部に沿って、金属板を折り曲げ成形してなる補強部材を取付固定し、該補強部材は前記天屋根の下側に突出する概略矩形状断面を有し、前記天屋根の剛性を強化したことを特徴とする。
【０００９】
また、本発明の電子ピアノの天屋根構造において、前記補強部材の端部に目隠し部材が付設されることを特徴とする。
【００１０】
また、本発明の電子ピアノの天屋根構造において、鍵盤上部で進退するようにスライド自在に支持された鍵盤蓋を備え、この鍵盤蓋が前記天屋根の下側に格納されることを特徴とする。
【００１１】
本発明によれば、天屋根の前縁部に沿って補強部材を取付固定する。天屋根の剛性を強化することにより、天屋根の板厚をできるだけ薄肉化することでその高さ、したがってピアノ本体の高さを低くすることができる。天屋根の薄肉化により材料費を低減し、実質的にコスト削減を図ることができる。
【００１２】
【発明の実施の形態】
以下、図１〜図４に基づき従来例と実質的に同一または対応する部材には同一符号を用いて、本発明による電子ピアノの天屋根構造の好適な実施の形態を説明する。
【００１３】
本発明において、図１に示すようにこの実施形態に係る電子ピアノの基本構成は従来例のものと実質的に同様である。すなわち、左右に配列された鍵盤１は、鍵盤蓋２によって覆われる。鍵盤１の両端に位置する一対の腕木３の内側には、前後に延設されたスライドガイドが固着されている。鍵盤蓋２は、このスライドガイドにガイドされながら、鍵盤１の上部で進退するようにスライドすることができるものとする。
【００１４】
鍵盤蓋２は上述のようにスライドガイドにガイドされながら、鍵盤１の上部でスライドし、図１において実線で示すように手前に引き出すことで鍵盤１に蓋がされる。また、２点鎖線で示すように鍵盤蓋２を奥（後方）へ押し込むことにより鍵盤１が露呈するとともに、天屋根１０の下側に格納される。
【００１５】
図１に示されるように天屋根１０の前縁部に沿って補強部材１１が取付固定され、これにより天屋根１０の剛性が強化されている。この実施形態において補強部材１１は、金属板を折り曲げ成形してなる。具体的には補強部材１１は、塩ビ鋼板または化粧塗装を施した鋼板が好適である。
【００１６】
図２は、天屋根１０まわりの上面図を示している。図から明らかなように天屋根１０は、腕木３の上部とほぼ同一幅になっている。この図示例のような場合には補強部材１１が天屋根１０の前側に張り出し、したがって補強部材１１の端末部の処理が必要になる。本実施形態では、補強部材１１の端部にそれぞれ目隠し部材１２が付設される。この目隠し部材１２は樹脂成形品であってよく、補強部材１１の端部に嵌着させることで補強部材１１の端末部をカバーして効果的に処理することができる。
【００１７】
ここで図３は、補強部材１１の形態例を示している。この実施形態において、補強部材１１は概略矩形状断面を有する。図３（Ａ）のように補強部材１１は、金属板を複数回折り曲げ成形することにより、図示のように下側に突出する形状に形成される。この場合、下側に突出させることで厚さを厚く見せることができる。なお、補強部材１１はビス１３等によって天屋根１０に固定される。
【００１８】
また、図３（Ｂ）のように補強部材１１は、図３（Ａ）の場合よりも折り曲げ成形工程数を減らして、単純な矩形形状とすることもできる。図３に示したいずれの場合においても、補強部材１１を取付固定することにより、天屋根１０の厚さを実質的に薄くした上で必要かつ十分な剛性を確保することができる。なお、これら図３（Ａ），（Ｂ）の場合とも、それぞれの断面形状に合った目隠し部材１２が各端部に嵌着されるようになっている。
【００１９】
上記構成において、上述したように天屋根１０の前縁部に沿って補強部材１１を取付固定する。本発明によれば鍵盤１を覆う鍵盤蓋２を有し、かつ天屋根１０が腕木３の上部に設置される形式のこの種のピアノにおいて、天屋根１０を厚くすることなく実質的にその剛性を強化することができる。このように天屋根１０の板厚をできるだけ薄肉化し、したがってピアノ本体の高さを低くすることができる。この結果、天屋根１０の薄肉化により材料費を低減し、実質的にコスト削減を図ることができる。
【００２０】
なお、補強部材１１を設けても、その端末部を目隠し部材１２によって効果的に処理することにより優れた外観構成を保証することができる。
【００２１】
ここで、図４は本発明による電子ピアノの天屋根構造の実施形態における変形例を示している。
この例では天屋根１０の前縁部に沿って補強部材１４が取付固定される。この補強部材１４は、鉄またはアルミニウム等の金属材料により形成され、たとえば図示のように「Ｔ」字状断面形状を有する。この場合、天屋根１０の前縁部にはＴ字の中央脚部分１４ａが挿入される溝１０ａが形成されている。なお、補強部材１４はビスまたは接着剤等によって天屋根１０に固定される。
【００２２】
この例においても天屋根１０の前縁部に沿って補強部材１４を取付固定することで、天屋根１０の薄肉化を図りながらピアノ本体の高さを実質的に低くすることができる。
【００２３】
なお、上記実施形態において補強部材１１が概略矩形状断面を有する例を説明したが、その断面形状は図３等に図示したもののみに限定されず、必要に応じて適宜その他の形状等を採用可能である。
【００２４】
【発明の効果】
以上説明したように本発明によれば、天屋根が腕木の上部に設置されるこの種のピアノにおいて、天屋根を実質的に薄肉化しながらその剛性を強化することができる。このように天屋根の剛性確保を図りながら、有効に高さを低くすることができる電子ピアノの天屋根構造を提供することができる。この結果、天屋根の薄肉化により材料費を低減し、実質的にコスト削減を図ることができる等の利点を有している。
【図面の簡単な説明】
【図１】本発明による電子ピアノの天屋根構造の実施形態における構成例を示す図である。
【図２】本発明による電子ピアノの天屋根構造の実施形態における上面図である。
【図３】本発明による電子ピアノの天屋根構造に係る補強部材の例を示すそれぞれ断面図である。
【図４】本発明による電子ピアノの天屋根構造に係る補強部材の変形例を示す断面図である。
【図５】従来の天屋根構造に係る補強部材の例を示すそれぞれ断面図である。
【図６】従来の天屋根構造に係る構成例を示す図である。
【符号の説明】
１    鍵盤
２    鍵盤蓋
３    腕木
４    棚板
５    脚
７    譜面台
８    スピーカ
１０    天屋根
１１    補強部材
１２    目隠し部材
１３    ビス
１４    補強部材
【図１】
0003566074.tif 000002
【図２】
0003566074.tif 000003
【図３】
0003566074.tif 000004
【図４】
0003566074.tif 000005
【図５】
0003566074.tif 000006
【図６】
0003566074.tif 000007